(57)【要約】      （修正有）【課題】画像捕捉装置で、ユーザがすばやくかつ直観的にいろいろな種類の露出パラメータを調節することを可能にするインターフェースシステムを提供する。【解決手段】携帯型画像捕捉装置に置かれる画像捕捉装置のインターフェースシステムは、ディスプレイユニット、タッチセンサユニットおよび制御ユニットを含む。ディスプレイユニットは、画像捕捉装置の種々の設定画像を表示する。タッチセンサユニットは、ディスプレイユニットに表示される設定画像を変えるためのユーザのタッチを検出する。制御ユニットは、画像捕捉装置の動作を制御するためにディスプレイユニットおよびタッチセンサユニットに接続される。【選択図】なし【特許請求の範囲】
【請求項１】
携帯型画像捕捉装置の上に配置される画像捕捉装置のインターフェースシステムであって、
種々の設定画像の各々が複数の設定値グラフを含む、前記画像捕捉装置の前記種々の設定画像を表示するための、ディスプレイユニットと、
前記ディスプレイユニットに近接して設置され、前記ディスプレイユニット上に表示される前記画像捕捉装置の前記設定画像を変えるために、かつ、前記設定画像内の設定値グラフを選ぶために、ユーザのタッチを検出するための、タッチセンサユニットと、
前記ディスプレイユニットおよび前記タッチセンサユニットに接続され、前記画像捕捉装置の動作を制御するための、制御ユニットと、を備えるインターフェースシステム。
【請求項２】
前記タッチセンサユニットが前記ユーザの１ポイントタッチを検出したとき、前記制御ユニットが前記ディスプレイユニットを駆動して選択のための複数の第１の設定値グラフを含む第１の設定画像を表示し、前記タッチセンサユニットが前記ユーザの２ポイントタッチを検出したとき、前記制御ユニットが前記ディスプレイユニットを駆動して選択のための複数の第２の設定値グラフを含む第２の設定画像を表示し、前記タッチセンサユニットが前記ユーザの３ポイントタッチを検出したとき、前記制御ユニットが前記ディスプレイユニットを駆動して選択のための複数の第３の設定値グラフを含む第３の設定画像を表示する、請求項１に記載の画像捕捉装置のインターフェースシステム。
【請求項３】
前記２ポイントタッチが、前記タッチセンサユニットが前記ユーザの２本の指によるタッチを同時に検出することを表し、および、前記３ポイントタッチが、前記タッチセンサユニットが前記ユーザの３本の指によるタッチを同時に検出することを表す、請求項２に記載の画像捕捉装置のインターフェースシステム。
【請求項４】
前記２ポイントタッチが、前記タッチセンサユニットが短い時間間隔において２つの連続タッチを検出することを表し、および、前記３ポイントタッチが、前記タッチセンサユニットが短い時間間隔において３つの連続タッチを検出することを表す、請求項２に記載の画像捕捉装置のインターフェースシステム。
【請求項５】
前記タッチセンサユニットが、移動タッチおよび前記移動タッチの動きの方向を検出することによって前記ディスプレイユニット上に表示される前記複数の設定値グラフを選ぶ、請求項２に記載の画像捕捉装置のインターフェースシステム。
【請求項６】
前記ディスプレイユニットが円形の形状であり、および、前記タッチセンサユニットが前記円形のディスプレイユニットの周辺部分に円形に配設される、請求項１に記載の画像捕捉装置のインターフェースシステム。
【請求項７】
前記ディスプレイユニットが、ＬＣＤ、電子インクディスプレイ、プラズマディスプレイまたはコレステロールタイプＬＣＤである、請求項１に記載の画像捕捉装置のインターフェースシステム。
【請求項８】
前記ディスプレイユニット上に表示される前記第１の設定画像が、動作モードの表示画像である、請求項２に記載の画像捕捉装置のインターフェースシステム。
【請求項９】
前記ディスプレイユニット上に表示される前記第２の設定画像が、ＩＳＯ値調節の表示画像である、請求項２に記載の画像捕捉装置のインターフェースシステム。
【請求項１０】
前記ディスプレイユニット上に表示される前記第３の設定画像が、露出補正値の表示画像である、請求項２に記載の画像捕捉装置のインターフェースシステム。
【請求項１１】
前記ディスプレイユニットが、バックライトモジュールを含む、請求項１に記載の画像捕捉装置のインターフェースシステム。
【発明の詳細な説明】
【関連出願の相互参照】
【０００１】
本出願は、２０１０年１０月６日に出願された台湾特許出願第９９１３３９９６号の利益を主張し、その内容を本願明細書に参照として引用する。
【技術分野】
【０００２】
本発明は、インターフェースシステムに、およびより詳しくは、画像捕捉装置に用いられるのに適したインターフェースシステムに関する。
【背景技術】
【０００３】
現在、技術の進展および進歩向上に伴って、デジタルエレクトロニクス製品がますます普及するようになっている。一例として、デジタルＳＬＲ（一眼レフ）またはデジタルＭＩＬ（ミラーレス交換レンズ）カメラを取り上げると、現在、最新型のデジタルＳＬＲまたはＭＩＬカメラは、小型設計の方へ進展してきた。この種の進展は、カメラ動作のインターフェースシステムに影響を及ぼす。したがって、ＩＳＯ値、露出補正値、ホワイトバランス、さらに連続撮影の状態調節のような、カメラで写真を撮る際に通常使われる機能が、カメラのボディで全て直接調節されることができる。
【０００４】
しかしながら、ニコンＤ５０００／Ｄ３０００、キヤノン５５０Ｄ、ペンタックスＫＸ、オリンパスＥＰ−２／ＥＰＬ−１、パナソニックＧＦ１／Ｇ２／Ｇ１０およびソニーその他のような、市場で最も普及している製品のいくつかは、初心者用のＳＬＲ（一眼レフ）カメラまたはＭＩＬ（ミラーレス交換レンズ）カメラであるが、図１に示すように、カメラの頂側部に配設されるもう一つ別のディスプレイ画面を有さないので、メニューリストに入るプロセスを介して前述のパラメータの全てを調節しなければならない。この種のパラメータ調節プロセスは、比較的時間がかかり、かつプロの使用法と調和していない。加えて、ユーザは前もってパラメータ列の位置を記憶しなければならない。しかしながら、キヤノン７Ｄ／５Ｄ２その他のような、セミプロモデルの一部のカメラは、ユーザが露出の関連したパラメータを調節するために、もう一つ別のディスプレイ画面をその頂側部の上に置いている。しかしながら、露出の関連したパラメータを表示するためのカメラの頂側部上の別のディスプレイ画面の欠如に起因して、ユーザはカメラの裏面に配設されるディスプレイ画面を介して露出の関連したパラメータの現在値を決定することができるだけである。この種のパラメータ調節プロセスは、ユーザが露出の関連したパラメータの現在値を制御するのを困難にし、および、ユーザが露出の関連したパラメータを頻繁に確認するためにディスプレイ画面をオンにしなければならないので、カメラの消費電力は比較的高い。ニコンＰ７０００、キヤノンＧ１１、その他のような、高レベル便利デジタルカメラは、上述したような露出の関連したパラメータをすばやく調節するために、カメラの頂側部上に多くのホイールを設置し、および、それがカメラのインターフェースをあまりに複雑に見えさせ、同じ問題、露出の関連したパラメータを表示するディスプレイ画面の欠如に起因して、ユーザはカメラの裏面に配設されるディスプレイ画面から露出の関連したパラメータにアクセスすることができるだけであり、および、この傾向がカメラの露出の関連したパラメータの現在値をユーザが制御するのを困難にする。また、消費電力は露出の関連したパラメータを決定するためのディスプレイ画面の頻繁にオンにする操作に起因して高い。
【０００５】
本発明は、ユーザが露出の関連したパラメータをすばやくかつ直観的に調節することを可能にさせ、露出の共通の関連したパラメータを共に統合して、露出の関連したパラメータの調節プロセスを改良し、かつ、現在、初心者レベルのデジタルＳＬＲ（一眼レフ）カメラ、デジタルＭＩＬ（ミラーレス交換レンズ）カメラ、および、高レベル便利デジタルカメラの遅い動作速度の課題を克服し、その一方で、ユーザが露出の関連したパラメータを容易に調節するようにさせ、かつカメラの消費電力を減少させる、携帯型画像捕捉装置（デジタルカメラ）を設計することを意図する。
【先行技術文献】
【特許文献】
【０００６】
【特許文献１】特開2002-057918号公報
【発明の概要】
【発明が解決しようとする課題】
【０００７】
本発明の目的は、露出の共通の関連したパラメータを共に統合することによって画像捕捉に関する動作パラメータをユーザがすばやくかつ直観的に調節することを可能にし、したがって、ユーザが露出の関連したパラメータを容易に制御するようにさせ、更に、カメラの消費電力を減少させる、画像捕捉装置のインターフェースシステムを提供することである。
【課題を解決するための手段】
【０００８】
この目的を達成するために、本発明の画像捕捉装置のインターフェースシステムが携帯型画像捕捉装置に設置され、かつ、種々の設定画像の各々が複数の設定値グラフを含む、画像捕捉装置の上記種々の設定画像を表示するための、ディスプレイユニットと、ディスプレイユニットに近接して設置され、ディスプレイユニットに表示される画像捕捉装置の設定画像を変えるために、かつ設定画像内の設定値グラフを選ぶように、ユーザのタッチを検出するための、タッチセンサユニットと、ディスプレイユニットおよびタッチセンサユニットに接続され、画像捕捉装置の動作を制御するための、制御ユニットと、を備える。好ましくは、ディスプレイユニットは双安定（ｂｉｓ−ｓｔａｂｌｅ）ディスプレイユニットである。
【０００９】
ディスプレイユニットは円形の形状であり、および、タッチセンサユニットは円形のディスプレイユニットの周辺部分に円形に配設される。ディスプレイユニットは、ＬＣＤ、電子インクディスプレイ、プラズマディスプレイまたはコレステロールタイプＬＣＤである。また、タッチセンサユニットは移動（ｍｏｖｉｎｇ）タッチおよび移動タッチの動きの方向を検出することによってディスプレイユニットに表示される複数の設定値グラフを選ぶ。
【００１０】
タッチセンサユニットがユーザの１ポイントタッチを検出したときに、制御ユニットがディスプレイユニットを駆動して選択のための複数の第１の設定値グラフを含む第１の設定画像を表示し、タッチセンサユニットがユーザの２ポイントタッチを検出したときに、制御ユニットがディスプレイユニットを駆動して選択のための複数の第２の設定値グラフを含む第２の設定画像を表示し、および、タッチセンサユニットがユーザの３ポイントタッチを検出したときに、制御ユニットがディスプレイユニットを駆動して選択のための複数の第３の設定値グラフを含む第３の設定画像を表示する。
【００１１】
２ポイントタッチはタッチセンサユニットがユーザの２本の指によるタッチを同時に検出することを表し、および、３ポイントタッチはタッチセンサユニットがユーザの３本の指によるタッチを同時に検出することを表す。２ポイントタッチはタッチセンサユニットが短い時間間隔で２つの連続タッチを検出することを表し、および、３ポイントタッチはタッチセンサユニットが短い時間間隔で３つの連続タッチを検出することを表す。
【００１２】
好ましくは、ディスプレイユニットに表示される第１の設定画像が、動作モードの表示画像である。ディスプレイユニットに表示される第２の設定画像が、ＩＳＯ値調節の表示画像である。ディスプレイユニットに表示される第３の設定画像が、露出補正値の表示画像である。
【００１３】
本発明の他の目的、効果および新規な特徴は、添付の図面を参照しながら、以下の詳細な説明からより明白になるであろう。
【図面の簡単な説明】
【００１４】
【図１】従来のカメラの動作を示す模式図である。
【図２】本発明の好ましい一実施態様に従う携帯型画像捕捉装置の三次元斜視図である。
【図３】本発明の好ましい一実施態様に従う画像捕捉装置のインターフェースシステムの模式図である。
【図４】図４Ａは、本発明の好ましい一実施態様に従う携帯型画像捕捉装置のディスプレイユニット上の最初の表示画像を示す模式図である。図４Ｂは、電源をオンにしたときの、本発明の好ましい一実施態様に従う携帯型画像捕捉装置のディスプレイユニット上の表示画像を示す模式図である。図４Ｃは、本発明の好ましい一実施態様に従う携帯型画像捕捉装置のディスプレイユニット上の第１の設定画像を示す模式図である。図４Ｄは、本発明の好ましい一実施態様に従う携帯型画像捕捉装置のディスプレイユニット上の第２の設定画像を示す模式図である。図４Ｅは、本発明の好ましい一実施態様に従う携帯型画像捕捉装置のディスプレイユニット上の第３の設定画像を示す模式図である。図４Ｆは、本発明の好ましい一実施態様に従う携帯型画像捕捉装置のディスプレイユニット上の現在の日時の表示画像を示す模式図である。
【発明を実施するための形態】
【００１５】
図２および図３を共に参照されたい。図２は本発明の好ましい一実施態様に従う携帯型画像捕捉装置の三次元斜視図であり、および、図３は本発明の好ましい一実施態様に従う画像捕捉装置のインターフェースシステムの模式図である。図に示すように、本発明の画像捕捉装置のインターフェースシステム１が、携帯型画像捕捉装置２上に設置される。本実施態様において、携帯型画像捕捉装置２はデジタルカメラまたはビデオカメラレコーダである。インターフェースシステム１は、ディスプレイユニット１１、タッチセンサユニット１２および制御ユニット１３を含み、制御ユニット１３は、ディスプレイユニット１１およびタッチセンサユニット１２に接続される。また、ディスプレイユニット１１、タッチセンサユニット１２および制御ユニット１３は、デジタルカメラの電池３から電力を供給される。
【００１６】
好ましくは、ディスプレイユニット１１は双安定方法で携帯型画像捕捉装置２の種々の設定画像を表示する双安定ディスプレイユニットであり、この種々の設定画像の各々が、複数の設定値グラフを含む。本発明の好ましい一実施態様では、この種々の設定画像は画像捕捉に共通に使われる次の機能を提供することができる：動作モードの表示画像の設定、ＩＳＯ値調節の表示画像の設定、露出補正値の表示画像の設定。好ましくは、ディスプレイユニット１１はＬＣＤ、電子インクディスプレイ、プラズマディスプレイまたはコレステロールタイプＬＣＤである。この種のディスプレイは、その上に表示される画像の変更プロセス中にだけ電力を消費する。したがって、デジタルカメラの消費電力を減少させて著しく延ばすことが可能である一方で、したがって、デジタルカメラが１回充電された後のデジタルカメラの動作期間は延長される。
【００１７】
タッチセンサユニット１２は、ユーザのタッチを検出するためのディスプレイユニット１１に近接して設置される。好ましい実施態様において、図２および図３に示すように、ディスプレイユニット１１が円形の形状であり、かつデジタルカメラの上部に配設される。また、タッチセンサユニット１２は円形のディスプレイユニット１１の周辺部分に円形に設置される。指示はタッチセンサユニット１２によって受付けられ、それはディスプレイユニット１１に表示される設定画像を変え、設定画像内の設定値グラフを選ぶことができる。
【００１８】
携帯型画像捕捉装置２のディスプレイユニット１１上の最初の表示画像を示す図４（Ａ）を参照されたい。ディスプレイユニット１１がＬＣＤ、電子インクディスプレイ、プラズマディスプレイまたはコレステロールタイプＬＣＤであるので、ディスプレイユニット１１は最初の表示画像を保持するのに電力を消費しない。加えて、名前およびその愛称などを表示するようなユーザの個人的要望に応じて、表示画像は、個人的に特徴づけられたいずれの図案をも採用することができる。
【００１９】
電源がオンにされたときの、携帯型画像捕捉装置２のディスプレイユニット１１上に表示画像を示す図４（Ｂ）を参照されたい。図に示すように、表示画像は携帯型画像捕捉装置２のシステム状態を表示する。図のＦ２．８表示および１００の表示は、現在測光モードでの携帯型画像捕捉装置２によって算出される絞り値およびシャッター値を示す。加えて、携帯型画像捕捉装置２の現在測光モードは現在のところポイント測光モードにあり、図４（Ｂ）の右側で黒点によって表される。黒点を表示する列（ｒｏｗ）が、測光モードを表示するために使われる。他の測光モードは、中央部重点測光モードおよび多分割（ｍａｔｒｉｘ）測光モード、などを含む。また、ＡＦ−Ｓ表示はハイスピードでのサイレント焦点合わせモードが現在使用中であることを表す。ＡＦ−Ｓ表示を表示する列が、携帯型画像捕捉装置２の現在使用中の焦点合わせモードを表示するために使われる。ＪＦ７２５表示は、携帯画像捕捉装置２が、精密ＪＰＥＧファイル形式で、更に７２５枚の写真を撮ることができることを表す。アルファベットＰ表示は、前もってユーザによって設定される露出モードがプログラムオートモードであることを表す。
【００２０】
タッチセンサユニット１２が、図４（Ｃ）の中空矢印によって表されるユーザの指による１ポイントタッチを検出したときは、ディスプレイユニット１１が駆動して制御ユニット１３は動作モードの第１の設定画像を表示する。第１の設定画像は、ユーザの選択のための、「Ｐ」「Ａ」「Ｓ」および「Ｍ」のような、複数の設定値グラフを含む。「Ｐ」表示はプログラム自動モードを表し、「Ａ」表示は絞り優先自動モードを表し、「Ｓ」表示はシャッター速度優先自動モードを表し、および、「Ｍ」表示はマニュアルモードを表す。また、図４（Ｃ）の異なるグレーレベルを有する種々の充実(中空でない)パターンのグラフは、動きの速いモード、ポートレイト写真モード、夜景モードおよび他の種類のモードのような、それぞれの露出モードを表す。そのようなものとして、ユーザは、ディスプレイユニット１１に表示される複数の設定値グラフを、指を用いてタッチセンサユニット１２にタッチして、その上をスライドさせることによって、同期して回転するようにさせることができる。また、ディスプレイユニット１１に表示される複数の設定値グラフは、指のスライド方向によって決定する方向に回転する。したがって、選択された設定値グラフはインデックス４によって示される位置に回転する。例えば、図４（Ｃ）に示すように、ユーザが、設定値グラフ「Ｐ」を選ぶために、インデックス４によって示される位置に設定値グラフ「Ｐ」を回転させたときには、制御ユニット１３は次いで設定値グラフ「Ｐ」に対応するモードで動作する。上記の通りに、タッチセンサユニット１２は移動タッチおよび移動タッチの動きの方向を検出することによってディスプレイユニット１１に表示される設定値グラフを選び、それによって設定値グラフを回転させる効果を達成する。加えて、タッチセンサユニット１２が短い時間間隔においてユーザの指のタッチを検出しないときには、ディスプレイユニット１１は、図４（Ｂ）に示すように、携帯型画像捕捉装置２のシステム状態を表示するモードに戻る。
【００２１】
図４（Ｄ）の２つの中空矢印によって表されるユーザの指（複数指）によって、タッチセンサユニット１２が２ポイントタッチを検出したときは、制御ユニット１３がディスプレイユニット１１を駆動して、ユーザの選択のためにＩＳＯ値調節の第２の表示画像を表示する。第２の設定画像は「４００」、「５００」、「６４０」および「８００」、その他のような複数の設定値グラフを含む。２ポイントタッチはタッチセンサユニット１２がユーザの２本の指によるタッチを同時に検出すること、または、タッチセンサユニット１２が短い時間間隔において２つの連続タッチを検出することを表す。ユーザは、インデックス４によって示される位置に必要ＩＳＯ値を表す選択された設定値グラフを回転させるために、タッチをスライドさせることによってディスプレイユニット１１に表示される設定値グラフを選ぶことができる。本実施態様において、ユーザは、「４００」のＩＳＯ値を選ぶために、インデックス４によって示される位置に、「４００」の表示の設定値グラフを回転させる。結果として、ユーザがＩＳＯ値を他の値に合わせなければならないときには、市場の既存のモデルのカメラがするように、ユーザがカメラをメニューリストに入るようにすることは不要である。その代わりに、２ポイントタッチでタッチセンサユニット１２にタッチするだけで、ユーザはＩＳＯ値を他の値に合わせることができる。次いで、ユーザの選択のために１００から４０００にわたるＩＳＯ値で、第２の設定画像がディスプレイユニット１１に表示される。加えて、タッチセンサユニット１２が短い時間間隔においてユーザの指のタッチを検出しないときは、ディスプレイユニット１１は、図４（Ｂ）に示すように、携帯型画像捕捉装置２のシステム状態を表示するモードに戻る。
【００２２】
図４（Ｅ）の３つの中空矢印によって表されるユーザの指（複数指）によって、タッチセンサユニット１２が３ポイントタッチを検出したときは、制御ユニット１３がディスプレイユニット１１を駆動して、ユーザの選択のために、露出補正値の第３の表示画像を表示する。第３の設定画像は、「−０．７」、「−０．３」、「０」および「０．３」、などのような複数の設定値グラフを含む。３ポイントタッチは、タッチセンサユニット１２がユーザの３本の指によるタッチを同時に検出すること、または、タッチセンサユニット１２が短い時間間隔において３つの連続タッチを検出することを表す。ユーザは、インデックス４によって示される位置に必要露出補正値を表す選択された設定値グラフを回転させるために、タッチをスライドさせることによってディスプレイユニット１１に表示される設定値グラフを選ぶことができる。本実施態様において、ユーザは、露出補正値「−０．７」を選ぶために、インデックス４によって示される位置に、「−０．７」表示の設定値グラフを回転させる。結果として、ユーザが露出補正値を他の値に合わせなければならないときに、市場の既存のモデルのカメラがするように、ユーザがカメラをメニューリストに入るようにすることは不要である。その代わりに、３ポイントタッチでタッチセンサユニット１２にタッチするだけで、ユーザは露出補正値を他の値に合わせることができ、その時、ユーザの選択のために−１．７から＋１．７にわたる露出補正値で、第３の設定画像がディスプレイユニット１１に表示される。加えて、タッチセンサユニット１２が短い時間間隔においてユーザの指のタッチを検出しないときには、ディスプレイユニット１１は、図４（Ｂ）に示すように、携帯型画像捕捉装置２のシステム状態を表示するモードに戻る。
【００２３】
更に、図４（Ｆ）の４つの中空矢印によって表されるユーザの指（複数指）によって、タッチセンサユニット１２が４ポイントタッチを検出したときは、制御ユニット１３がディスプレイユニット１１を駆動して現在の日時の表示画像を表示する。同様に、４ポイントタッチはタッチセンサユニット１２がユーザの４本の指によるタッチを同時に検出すること、または、タッチセンサユニット１２が短い時間間隔において４つの連続タッチを検出することを表す。加えて、タッチセンサユニット１２が短い時間間隔においてユーザの指のタッチを検出しないときには、ディスプレイユニット１１は、図４（Ｂ）に示すように、携帯型画像捕捉装置２のシステム状態を表示するモードに戻る。
【００２４】
さらに、本発明の画像捕捉装置のインターフェースシステムが暗い環境でさえ活用されることができるように、ディスプレイユニット１１はバックライトモジュールを配設されることができる。
【００２５】
上記の通りに、本発明の画像捕捉装置のインターフェースシステム１は、ユーザが上述の画像捕捉装置のさまざまな露出パラメータをすばやくかつ直観的に調節することを可能にする。また、本発明の画像捕捉装置のインターフェースシステムのもうひとつ別の利点は、上述のディスプレイユニット１１がその上に表示される画像の変更プロセス中にだけ電力を消費し、それが固定したグラフまたはアルファベットを表示する時に何の電力も消費しないことである。したがって、インターフェースシステム１の動作は、画像捕捉装置の電池の電力をそれほど追加的に消費することはない。更に、本発明の設計は、カメラの頂側部が、カメラの裏面に配設される画面をオンにする必要なしに、カメラのユーザがカメラの頂側部から直接に関連した露出パラメータにアクセスすることができるように、関連した露出パラメータを表示するためのディスプレイユニットを追加的に設けることができることを可能にし、その一方で、より多くの消費電力を節約する。また更に、本発明の画像捕捉装置のインターフェースシステムによって、ユーザは片手だけで迅速にカメラの関連した露出パラメータを調節することができ、それはユーザに非常に便利である。関連した露出パラメータの部分の調節が全て共に統合されるので、それはカメラの押しボタンおよび回転ホイールの数を減少させ、それによってカメラのインターフェースを単純化することができる。
【００２６】
本発明がその好ましい実施態様に関して説明されたとはいえ、以下に請求されるように、多くの他のありうる修正および変更が本発明の趣旨および範囲から逸脱することなく、なされることができることが理解されるべきである。
【符号の説明】
【００２７】
１  インターフェースシステム
２  携帯型画像捕捉装置
３  電池
１１  ディスプレイユニット
１２  タッチセンサユニット
１３  制御ユニット
【図１】
2012085270.tif 000002
【図２】
2012085270.tif 000003
【図３】
2012085270.tif 000004
【図４】
2012085270.tif 000005